(57)【特許請求の範囲】
【請求項１】
開口部に配置される窓枠と、窓枠に対してスライド自在に配置してなる障子と、障子の窓枠に対するスライドを規制する規制部材とを備え、
障子は、その戸先框の室内側面に長手方向に形成した凹状の手掛け部を有し、
規制部材は、窓枠の縦枠の内周面に、規制位置と非規制位置との間で見込み方向に移動自在に設けてあり、規制位置において障子の戸先框の手掛け部に係合して障子のスライドを規制する係合部を有する
ことを特徴とする建具。
【発明の詳細な説明】
【技術分野】
【０００１】
建物開口部に設けられる窓枠に対して、左右一方の障子を固定して構成される片引き窓等の建具に関する。
【背景技術】
【０００２】
従来、引き違い用の窓枠に対して障子を固定して片引き窓を構成するなど、窓枠を兼用することは行われていた。そして、引き違い用の窓枠に対して障子を固定するために障子と下枠とを固定する固定部材等を用いる建具が公知となっていた（特許文献１）。
【先行技術文献】
【特許文献】
【０００３】
【特許文献１】：実用新案登録第２５４２８２１号
【発明の概要】
【発明が解決しようとする課題】
【０００４】
上記先行技術文献の建具においては、外障子が固定部材により固定され、固定部材による固定を解除すれば外障子が移動自在となるために、清掃やメンテナンスを行うことができるものである。
しかしながら、固定部材が室内側に露出するために意匠的に好ましくなく、固定部材の部分にほこりが溜まるなど、日常の清掃が難しく、使い勝手はよくなかった。
【０００５】
本発明は、上記の事情を鑑みたものであり、引き違い用の窓枠に対して簡単な操作で障子の固定状態と固定解除状態とを切り換えることができ、固定状態において突出することなく清掃が簡単で、意匠的に優れた建具を提供することを目的とする。
【課題を解決するための手段】
【０００６】
本発明は、開口部に配置される窓枠と、窓枠に対してスライド自在に配置してなる障子と、障子の窓枠に対するスライドを規制する規制部材とを備え、障子は、その戸先框の室内側面に長手方向に形成した凹状の手掛け部を有し、規制部材は、窓枠の縦枠の内周面に、規制位置と非規制位置との間で見込み方向に移動自在に設けてあり、規制位置において障子の戸先框の手掛け部に係合して障子のスライドを規制する係合部を有することを特徴とする。
【発明の効果】
【０００７】
引き違い用の窓枠に対して障子を固定することにより、窓枠の兼用を可能としながら、障子の固定が簡単に解除できるのでメンテナンスを向上させることができるとともに、障子の固定状態において、障子や枠体から突出することなく、意匠的にも優れた建具を提供することができる。
【図面の簡単な説明】
【０００８】
【図１】本発明の実施形態に係る内動片引き窓の外観図である。
【図２】本発明の実施形態に係る内動片引き窓の縦断面図である。
【図３】本発明の実施形態に係る内動片引き窓の横断面図である。
【図４】本発明の実施形態に係る内動片引き窓の窓枠の左縦枠と外障子の戸先框の部分の拡大横断面図であり、（ａ）は、規制部材が非規制位置にある状態の断面図、（ｂ）は、規制部材が規制位置にある状態の横断面図である。
【発明を実施するための形態】
【０００９】
（全体の構成）
図面を参照しながら、本発明の実施形態に係る建具を説明する。
本発明の実施形態に係る建具は、図１に示されるように、上枠１１，下枠１２及び左右の縦枠１３，１４を四周に組んでなり、建物開口部に固定してなる窓枠１に対して、上框３１，下框３２及び戸先框３３，召合框３４を四周に組んで内周にガラス等パネルを装着してなる外障子３を窓枠１の開口左側に固定して配置すると共に、同じく上框２１，下框２２及び召合框２３，戸先框２４を四周に組んで内周にガラス等パネルを装着してなる内障子２を窓枠１に設けた室内側レール１２１ａに沿って開閉自在に配置してなる内動片引き窓として構成されている。
そして、本発明の実施形態に係る建具の規制部材５は、窓枠１の左縦枠１３に固着されるとともに外障子３の戸先框３３に係止することにより外障子３の移動を規制して固定するものである。
【００１０】
（窓枠及び各障子の構成）
図２に示すように、窓枠１を構成する上枠１１は、上枠１１の内周面を構成する上枠本体部１１１と、上枠本体部１１１の室内側端及び室外側端の下面よりそれぞれ垂下する上枠室内側壁１１２及び上枠室外側壁１１３と、上枠本体部１１１の見込み方向略中央位置より垂下する上枠中間壁１１４とを有しており、上枠室内側壁１１２と上枠中間壁１１４とによって内障子２の上辺を案内する内案内部を構成するとともに、上枠室外側壁１１３と上枠中間壁１１４とによって外障子３の上辺を案内する外案内部を構成している。
上枠室内側壁１１２及び上枠中間壁１１４の室外側面下端には、それぞれ内障子２及び外障子３の上框２１，３１の室内側面に当接する気密材ｓ１が配置されている。
【００１１】
窓枠１を構成する下枠１２は、室内側から室外側に向かって下方に傾斜する傾斜部を備える下枠本体部１２１と、下枠本体部１２１の室内側端に連続する室内側壁１２２とから構成されており、下枠本体部１２１の上面には室内側レール１２１ａ及び室外側レール１２１ｂが突設して形成されている。
室内側壁１２２の上端室外側面には気密材ｓ２が配置されており、また、室内側レール１２１ａの下方位置から室外側に向かって突出するように気密材ｓ２を保持する気密材取付片１２１ｃが形成されている。
【００１２】
図３に示すように、窓枠１を構成する左縦枠１３は、左縦枠１３の内周面を構成する左縦枠本体部１３１と、左縦枠本体部１３１の室内側及び室外側より内周方向に延設される左縦枠室内側壁１３２及び左縦枠室外側壁１３３と、左縦枠本体部１３１の見込み方向略中央位置より内周方向に延設される左縦枠中間壁１３４とを有しており、左縦枠室外側壁１３３と左縦枠中間壁１３４との間の左縦枠本体部１３１の内周面に対して外障子３の戸先框３３が当接される。
左縦枠中間壁１３４の室外側面には、外障子３の戸先框３３の室内側面に当接する気密材ｓ３が配置されているとともに、左縦枠本体部１３１の内周面には、外障子３の戸先框３３に配置された引寄部材７に当接して外障子３を室内側に引き寄せる突条片１３５が設けられている。
窓枠１を構成する右縦枠１４は、左縦枠１３と同様に、右縦枠本体部１４１，右縦枠室内側壁１４２，右縦枠室外側壁１４３及び右縦枠中間壁１４４を有しており、右縦枠室内側壁１４２と右縦枠中間壁１４４との間の右縦枠本体部１４１の内周面に対して内障子２の戸先框２４が当接される。
右縦枠室内側壁１４２の室外側面には、内障子２の戸先框２４の室内側面に当接する気密材ｓ４が配置されているとともに、右縦枠本体部１４１の内周面には、内障子２の戸先框２４に配置された引寄部材７に当接して内障子２を室内側に引き寄せる突条片１４５が設けられている。
【００１３】
内障子２を構成する上框２１は、図２に示すように、上方が開口される上框本体部２１１の下方に内周に開口するガラス取付溝２１２を形成してなる。同下框２２は、下方が開口される下框本体部２２１の上方に内周に開口するガラス取付溝２２２を形成してなり、下框本体部２２１の開口内部には、下枠１２の室内側レール１２１ａ上に案内される戸車８を備えている。
【００１４】
内障子２を構成する戸先框２４は、図３に示しように、中空部を有する戸先框本体部２４１と、戸先框本体部２４１の内周に開口するガラス取付溝２４２とからなり、戸先框本体部２４１の室内外面には戸先框２４の略全長に亘って手掛け部２４１ａ，２４１ｂが形成されている。
内障子２を構成する召合框２３は、全体が中空形状の召合框本体部２３１の室外側部位にガラス取付溝２３２を形成して構成されており、召合框本体部２３１の室外側面には、外障子３の召合框３４の室内側面に当接する気密材が配置されるとともに、煙返しが形成されている。
【００１５】
外障子３を構成する上框３１は、図２に示すように、上方が開口される上框本体部３１１の下方に内周に開口するガラス取付溝３１２が形成されてなり、同下框３２は、下方が開口される下框本体部３２１の上方にガラス取付溝３２２が形成されてなり、下框本体部３２１の開口内部には、下枠１２の室外側レール１２１ｂ上に案内される戸車８を備えている。
【００１６】
外障子３を構成する戸先框３３は、図３に示すように、中空部を有する戸先框本体部３３１と、戸先框本体部３３１の内周に開口するガラス取付溝３３２とからなり、戸先框本体部３３１の室内外面には戸先框３３の略全長に亘って手掛け部３３１ａ，３３１ｂが形成されている。
外障子３を構成する召合框３４は、全体が中空形状の召合框本体部３４１の内周にガラス取付溝３４２を形成して構成されており、召合框本体部３４１の室外側面には、煙返しが形成されている。
【００１７】
以上、窓枠１の下枠１２に形成された室内外の案内レール１２１ａ，１２１ｂに沿って内障子２及び外障子３をスライドすることにより、通常の引き違い窓が構成される。
そして、外障子３もしくは内障子２の窓枠１に対するスライドを規制して、片引き窓として構成するための規制部材５が設けられている。
本発明の実施形態に係る建具として、規制部材５により外障子３のスライドを規制してなる内動片引き窓について、図４を示して、詳細に説明する。
【００１８】
規制部材５は、全体が外障子３の戸先框３３の全長に亘る長さを有し、同一の断面形状を有する長尺状の部材からなり、左縦枠１３に対して固定される固定部５１と、固定部５１より延設されて外障子３の戸先框３３に係合する規制部５２とから構成されている。
固定部５１は、外周面５１１、内周面５１２、室内面５１３及び室外面５１４を有する断面矩形の中空部材からなり、その外周面の複数位置には室内外方向に伸びるネジ用の長孔５１１ａが形成されており、内周面５１２の長孔５１１ａに対向する位置には、長孔５１１ａに対してネジ等の固定手段ｎを挿入するための開口５１２ａが開けられており、開口５１２ａを介してネジ等の固定手段ｎの締め付け後には、開口５１２ａに対してキャップ５１５が装着できるように構成されている。
【００１９】
規制部５２は、固定部５１の内周面５１２の室外側が延長してなる見込み面５２１と、見込み面５２１が屈曲し外障子３の戸先框３３の室内側面に沿うように延設される見付け面５２２とを有している。固定部５１の室外面５１４の寸法は縦枠１３の左縦枠中間壁１３４の内周方向寸法よりも大きく設定されており、固定部５１を左縦枠１３に固定した状態で見込み面５２１を左縦枠中間壁１３４の室外側に達することができ、見付け面５２２を外障子３の戸先框３３の室内側面に当接させることができる。
見付け面５２２の室外側には、外障子３の戸先框３３の室内側の手掛け部３３１ａに挿入可能なリブ状の係合部５２３が設けられている。
【００２０】
図４（ａ）に示すように、規制部材５の固定部５１を左縦枠１３の室内側内周面に配置し、長孔５１１ａを介してネジ等の固定手段ｎにより固定するに際して、固定部５１を外周面５１１の長孔５１１ａを利用して最も室内側の位置（非規制位置）に移動させることにより、係合部５２３は戸先框３３の手掛け部３３１ａに挿入されることなく、外障子３は自由にスライドすることができ、適宜位置において外障子３を窓枠１から外すことができる。
そして、図４（ｂ）に示すように、外障子３の戸先框３３を左縦枠１３に当接させた状態で、規制部材５を長孔５１１ａに沿って見込み方向に室外側の位置（規制位置）に移動させることにより、規制部材５の係合部５２３が戸先框３３の手掛け部３３１ａに挿入して見付け方向への移動を規制するとともに、見付け面５２２によって戸先框３３の手掛け部３３１ａが覆われて、外障子３のスライドが規制されたＦｉｘ窓として構成することができる。
【００２１】
以上のように、本発明の実施形態に係る建具は、引き違い窓として構成される建具に対して、障子の戸先框の手掛け部を利用して規制部材により障子の固定を行っているので、障子に規制部材の取付けのための加工を施す必要がなく、簡単にＦｉｘ窓として形成することができる。このため、引き違い窓の部材を流用してＦｉｘ窓を構成することができ、部品管理に有効である。また、規制部材により障子を固定した状態では、規制部材により戸先框の手掛け部が覆われて平坦な面として構成されるので、意匠的に優れ、また、操作者に対して開閉操作ができない窓であることを認識させやすい。
【００２２】
また、規制部が見込み面と見付け面とから構成され、戸先框の手掛け部に挿入される係合部５２３がリブ状に形成されているので、手掛け部に対して挿入される見付け方向の範囲に余裕があり、固定部５１が見込み方向に移動可能であることと相まって、様々な寸法の戸先框を有する障子に対して採用することができる。
しかも、ネジ等固定手段を緩めて規制部材を規制位置から非規制位置に見込み方向に移動させることにより、障子の規制が解除され障子３を移動させて外すことができるので、部材の散乱等もなく、設置時や設置後のメンテナンスにおける操作性がよい。
【符号の説明】
【００２３】
１        ：窓枠
１１      ：上枠
１１１    ：上枠本体部
１１２    ：上枠室内側壁
１１３    ：上枠室外側壁
１１４    ：上枠中間壁
１２      ：下枠
１２１    ：下枠本体部
１２１ａ  ：室内側レール
１２１ｂ  ：室外側レール
１２１ｃ  ：気密材取付片
１２２    ：室内側壁
１３      ：左縦枠
１３１    ：左縦枠本体部
１３２    ：左縦枠室内側壁
１３３    ：左縦枠室外側壁
１３４    ：左縦枠中間壁
１３５    ：突条片
１４      ：右縦枠
１４１    ：右縦枠本体部
１４２    ：右縦枠室内側壁
１４３    ：右縦枠室外側壁
１４４    ：右縦枠中間壁
１４５    ：突条片
２        ：内障子
２１      ：上框
２１１    ：上框本体部
２１２    ：ガラス取付溝
２２      ：下框
２２１    ：下框本体部
２２２    ：ガラス取付溝
２３      ：召合框
２３１    ：召合框本体部
２３２    ：ガラス取付溝
２４      ：戸先框
２４１    ：戸先框本体部
２４１ａ  ：手掛け部
２４１ｂ  ：手掛け部
２４２    ：ガラス取付溝
３        ：外障子
３１      ：上框
３１１    ：上框本体部
３１２    ：ガラス取付溝
３２      ：下框
３２１    ：下框本体部
３２２    ：ガラス取付溝
３３      ：戸先框
３３１    ：戸先框本体部
３３２    ：ガラス取付溝
３３１ａ  ：手掛け部
３３１ｂ  ：手掛け部
３４      ：召合框
３４１    ：召合框本体部
３４２    ：ガラス取付溝
５        ：規制部材
５１      ：固定部
５１１    ：外周面
５１１ａ  ：長孔
５１２    ：内周面
５１２ａ  ：開口
５１３    ：室外面
５１４    ：室内面
５１５    ：キャップ
５２      ：規制部
５２１    ：見込み面
５２２    ：見付け面
５２３    ：係合部
７        ：引寄部材
８        ：戸車
【図１】
0006533709.tif 000002
【図２】
0006533709.tif 000003
【図３】
0006533709.tif 000004
【図４】
0006533709.tif 000005